(57)【要約】【課題】装置の大幅な改造を伴うことなく、反射測定時の試料のセッティングが簡単で、しかもその試料の落下を確実に防止することのできる分光光度計用積分球を提供する。【解決手段】反射測定用開口部１２の外側に、ガイド板３１と支持板３２を備えた支持機構３を設け、ガイド板３１は、試料Ｓの分析対象面を当接させることによりその面が反射測定用開口部１２を介して積分球１内部に臨むように配置され、かつ、ガイド板３１はその頂部側が積分球１に近づく向きに鉛直方向に対して１５°以下の角度で傾斜させて、分析対象面をガイド板３１に当接させた状態の試料Ｓの下端部を支持板３２で支える構成とする。これにより、試料Ｓを載せるだけで反射測定のセッティングを行うことが可能となり、セッティング操作の容易化と試料落下の虞をなくす。【選択図】図１
0003193277.tif 000002
【実用新案登録請求の範囲】
【請求項１】
分光器により順次波長選択された測定光を内部に導入するための測定光導入用開口部と、反射測定に供される試料を内部に臨ませるための反射測定用開口部を備えた積分球において、
上記反射測定用開口部の外側に試料の支持機構が設けられ、この支持機構は、試料の分析対象面が上記反射測定用開口部を介して積分球内部に臨むように当該分析対象面に当接して試料の姿勢を規制するガイド板と、そのガイド板に当接する試料の下端部を支える支持板とを有し、上記ガイド板は、その頂部側が積分球に近づく向きに鉛直方向に対して１５°以下の角度で傾斜していることを特徴とする分光光度計用積分球。
【請求項２】
上記支持板が、上記ガイド板に沿って上下方向に移動可能で、かつ、その移動範囲の任意の位置で固定可能に構成されていることを特徴とする請求項１に記載の分光光度計用積分球。
【考案の詳細な説明】
【技術分野】
【０００１】
本考案は紫外可視近赤外分光光度計に装着して使用される積分球に関し、特に、固体試料の反射測定を簡便に行うことのできる積分球に関する。
【背景技術】
【０００２】
紫外可視近赤外分光光度計を用いて固体試料を測定する場合、付属装置として積分球が多用される。この種の積分球は、球形の内表面が硫酸バリウムなどの反射率の高い光散乱素材で覆われているとともに、分光器で波長選別された測定光を内部に導入するための測定光導入用開口部が形成され、その測定光導入用開口部からの測定光が直接照射されない位置に設けられた開口部に検出器が配置される。
【０００３】
試料を透過測定する場合には、試料を測定光導入用開口部の外側に配置し、試料を透過した光を積分球内に導き、その内表面で散乱された光を検出器で検出する。また、試料を反射測定する場合には、測定光導入用開口部からの測定光が照射される位置に形成された反射測定用開口部の外側に試料を配置し、試料による反射光を積分球の内表面で散乱させて検出器で検出する。
【０００４】
測定光導入用開口部および反射測定用開口部は、分光光度計本体の構成とも相俟って、いずれも積分球の側面部分に形成されている。試料を反射測定する場合には、反射測定用開口部に密着するように試料を配置する必要があるが、上記のように反射測定用開口部は積分球の側面部分に形成されているため、以下に示すように、その反射測定用開口部の外側に試料を保持するための機構が必要となる。
【０００５】
図２は、従来のこの種の積分球の構造を模式的に表す横断面図である。積分球１は筐体２内に収容され、その側方に測定光導入用開口部１１が形成され、それに対向するように反射測定用開口部１２が形成されている。また、この例において検出器１３は積分球１の下側に臨んでいる。なお、１４は参照光導入用開口部で、１５’は白板である。
【０００６】
反射測定用開口部１２の外側に試料Ｓを密着して配置するために、この反射測定用開口部１２の外側に、試料Ｓを反射測定用開口部１２ないしはその近傍の筐体２に押し付けるための押圧機構１００が設けられている。この押圧機構１００は、軸１０１の周りに回動自在のアーム１０２を設けるとともに、そのアーム１０２の先端に押圧板１０３を配した構造を有し、アーム１０２は軸１０１に設けられたバネ（図示略）により図中矢印ａの向きに付勢されている。したがって、試料Ｓを押圧板１０３と筐体２の間に挟むことにより、試料Ｓが押圧板１０３によって筐体２に押し付けられ、反射測定用開口部１２に臨むように保持された状態となる（例えば特許文献１参照）。
【先行技術文献】
【特許文献】
【０００７】
【特許文献１】特開平１１−９４７２９号公報
【考案の概要】
【考案が解決しようとする課題】
【０００８】
ところで、図２に示した従来の反射測定用試料の保持機構によると、試料Ｓを反射測定用開口部１２に臨ませて保持する際に、バネによる付勢に抗して押圧板１０３を筐体２から引き離し、その状態で押圧板１０３と筐体２との間に試料Ｓを位置決めした後、押圧板１０３を解放することによって当該押圧板１０３と筐体２との間に試料Ｓを挟み込むのであるが、この操作は面倒であるばかりでなく、この保持操作時に試料Ｓを落下させてしまう可能性があり、落下した試料Ｓが破損するなどの問題がある。
【０００９】
このような試料保持時の落下の問題は、積分球の上方に反射測定用開口部を形成すれば解消されるが、そのためには分光光度計本体を含めた大幅な改造が必要となり、積分球を用いて透過測定をする場合や、積分球以外の付属装置を装着した測定における影響などを考えると、このような改造を行うことは現実的ではない。
【００１０】
本考案はこのような実情に鑑みてなされたもので、大幅な改造を伴うことなく、反射測定に際しての試料のセッティングが簡単で、しかも試料の落下を確実に防止することのできる分光光度計用積分球の提供をその課題としている。
【課題を解決するための手段】
【００１１】
上記の課題を解決するため、本考案の分光光度計用積分球は、分光器により順次波長選択された測定光を内部に導入するための測定光導入用開口部と、反射測定に供される試料を内部に臨ませるための反射測定用開口部を備えた積分球において、上記反射測定用開口部の外側に試料の支持機構が設けられ、この支持機構は、試料の分析対象面が上記反射測定用開口部を介して積分球内部に臨むように当該分析対象面に当接して試料の姿勢を規制するガイド板と、そのガイド板に当接する試料の下端部を支える支持板とを有し、上記ガイド板は、その頂部側が積分球に近づく向きに鉛直方向に対して１５°以下の角度で傾斜していることよって特徴づけられる。
【００１２】
ここで、本考案においては、上記支持板が、上記ガイド板に沿って上下方向に移動可能で、かつ、その移動範囲の任意の位置で固定可能とする構成を好適に採用することができる。
【００１３】
本考案は、試料を載置するだけで反射測定時の規定位置への安定した位置決めを可能にすることで、課題を解決するものである。
【００１４】
すなわち、本考案においては、積分球の反射測定用開口部の外側に、頂部側を積分球に近づく向きに傾斜させたガイド板を配置し、そのガイド板に試料の分析対象面を当接させることによって当該分析対象面が積分球の内部に臨むようにして、その状態の試料の下端部を支持板で支える。これにより、測定のために規定位置にセッティングされた試料は、ガイド板に寄りかかった状態でその下端部が支持板で支えられた状態となり、単に試料を支持機構に載せるだけで反射測定のためのセッティングが行われ、また、その際に落下する危険性が従来に比して大幅に少なくなる。
【００１５】
また、支持板をガイド板に沿って上下方向に移動可能とし、任意の位置で固定できるようにすれば、大きな試料上の複数ポイントの測定が可能となるなど、より利便性が向上する。
【００１６】
ここで、本考案において、ガイド板の傾斜角は１５°以下であれば特に限定されるものではなく、１５°を越えると反射光に偏光の影響が現れるため好ましくない。この偏光の影響は、特に１０°以下とすることにより実質的に完全に無視することができる。また、このガイド板の傾斜角は、５°以上とすることにより当該ガイド板上での試料の安定性が向上するためより好ましい。
【考案の効果】
【００１７】
本考案によれば、積分球の反射測定用開口部の外側に設けられた支持機構の上に試料を載せるだけで反射測定のためのセッティングが行われるので、その操作が従来に比して大幅に簡素化されるとともに、試料載置時に試料が落下するトラブルを実質的になくすことができる。
【００１８】
また、アームの先端に押圧板を設け、アームを軸の回りにバネで付勢して試料を挟み込む従来の機構に比して部品点数が少なくなり、コストを低減することができるとともに、バネで押圧する場合のような試料への負荷を軽減して、デリケートな試料における変形や損傷などの虞をなくすことができる。
【図面の簡単な説明】
【００１９】
【図１】本考案の実施形態の構成を示す模式図であって、（ａ）は横断面図、（ｂ）は縦断面図。
【図２】分光光度計に用いられる従来の積分球の構成を模式的に示す横断面図。
【考案を実施するための形態】
【００２０】
以下、図面を参照しつつ本考案の実施の形態について説明する。
図１は本考案の実施の形態を模式的に表す図であり、（ａ）は横断面図、（ｂ）は縦断面図である。なお、図１（ａ）の横断面図は図１（ｂ）のＡ−Ａ断面図、図１（ｂ）の縦断面図は図１（ａ）のＢ−Ｂ断面図に相当する。
【００２１】
積分球１の本体部分は図２に示した従来のものと同じであって、側方に測定光Ｌを内部に導入するための測定光導入用開口部１１と、反射測定に際して試料Ｓを積分球１内部に臨ませるための反射測定用開口部１２を備えるとともに、下方に検出器１３を臨ませている。また、積分球１が筐体２に収容されている点や、参照光を内部に導入するための参照光導入用開口部１４を形成している点、および標準白板１５を設けている点についても同じである。
【００２２】
さて、この実施の形態の特徴は、積分球１の反射測定用開口部１２に隣接してその外側に支持機構３を設けた点にある。この支持機構３は、ガイド板３１と支持板３２を主体として構成され、ガイド板３１は筐体２に対して固定され、支持板３２はガイド板３１に沿って上下方向に移動可能で、その移動範囲内の任意の位置で固定できるようになっている。
【００２３】
ガイド板３１は、積分球１の反射測定用開口部１２に接するように筐体２に固定されているとともに、このガイド板３１には、反射測定用開口部１２と連通するように貫通孔３１ａが形成されている。また、このガイド板３１は、積分球１の鉛直方向の中心軸に対して、頂部側が当該中心軸に接近する向きに５〜１０°程度の角度で傾斜している。
【００２４】
ガイド板３１には、積分球１に対して固定されている側の面と反対側の面に支持板３２が摺動自在に支持されており、この支持板３２は、例えばガイド板３１に形成された上下方向に伸びる溝に嵌まり込んで摺動し、その任意の摺動位置において例えばネジなどで固定することができる。
【００２５】
以上の構成において、反射測定に供される試料Ｓは、図１に示すように、その分析対象面がガイド板３１に密着するように支持板３２の上に載せられることにより、直ちに反射測定を実行する状態、つまりセッティングが完了した状態となる。すなわち、その状態では、試料Ｓは支持板３２上でガイド板３１に寄りかかるように支持され、その分析対象面がガイド板３１の貫通孔３１ａおよび反射測定用開口部１２を介して積分球１内部に臨んだ状態となる。この状態で、測定光導入用開口部１１から積分球１内部に導入された測定光Ｌが、反射測定用開口部１２および貫通孔３１ａを介して試料Ｓの分析対象面に照射され、その反射光が積分球１内面で散乱されて検出器１３の受光面に集光される。
【００２６】
以上の実施の形態において特に注目すべき点は、反射測定を実行するための試料Ｓのセッティングが、単にガイド板３１に分析対象面が沿うように支持板３２の上に載せるだけでよい点であり、従来のバネで付勢された押圧板１０３と筐体２の間に挟み込む保持方法に比してセッティングの操作が極めて容易になると同時に、試料Ｓの落下の危険性を大幅に減少させることができる。また、試料Ｓは単に支持板３２とガイド板３１に載せるだけであるため余計な力が作用せず、デリケートな試料であっても変形や損傷を防ぐことができる。
【００２７】
また、以上の実施の形態において、同一試料についてその測定ポイントを変更する場合、横方向には支持板３２上で試料Ｓをずらせばよく、縦方向には支持板３２を上下方向に移動させて固定位置を変更するだけでよい、という簡単な操作で行うことができる。
【００２８】
ガイド板３１の傾斜角度は、その上限は偏光の影響の大きさによって決定され、１５°以下、好ましくは１０°以下である。また、傾斜角度の下限は、試料Ｓがガイド板３１上で安定して保持される角度であり、２〜３°以上、好ましくは５°以上である。
【符号の説明】
【００２９】
１  積分球
１１  測定光導入用開口部
１２  反射測定用開口部
１３  検出器
１４  参照光導入用開口部
１５  標準白板
２  筐体
３  支持機構
３１  ガイド板
３１ａ  貫通孔
３２  支持板
Ｓ  試料
【図１】
0003193277.tif 000003
【図２】
0003193277.tif 000004